(57)【要約】【課題】問い合わせ、申し送り、書類発行などの作業は、多忙な医療従事者にとって煩雑であった。【解決手段】それぞれ異なる場所の複数の健診センタ３１〜３ｎ、薬局４１〜４ｎ、その他医療機関５１〜５ｎ内の端末手段にそれらの医療機関内で生成された複数の医療情報を入力し、該入力された複数の医療情報をそれぞれ異なる場所の端末手段から通信手段を介して送信し、それらの送信された複数の医療情報をデータセンタ２に記憶し、そのデータセンタ２は該記憶された複数の医療情報と特定の医療情報とを比較判定し、該比較判定された結果に基づき前記特定の医療情報を持つ医療機関が行う手続を代行する。【選択図】図１
2005258854.tif 000002
【特許請求の範囲】
【請求項１】
それぞれ異なる場所の複数の医療機関内の端末手段にそれらの医療機関内で生成された複数の医療情報を入力するステップと、
該入力された複数の医療情報をそれぞれ異なる場所の端末手段から通信手段を介して送信し、それらの送信された複数の医療情報をデータベース手段に記憶するステップと、を含む医療情報管理方法において、
該記憶された複数の医療情報と特定の医療情報とを比較判定するステップと、
該比較判定された結果に基づき前記特定の医療情報を持つ医療機関が行う手続を代行するステップと、
を含むことを特徴とする医療情報管理方法。
【請求項２】
前記代行ステップは、前記複数の医療機関間の相互の予約又は申込を代行することを特徴とする請求項１に記載の医療情報管理方法。
【請求項３】
それぞれ異なる場所の複数の医療機関内の端末手段にそれらの医療機関内で生成された複数の医療情報を入力する手段と、
前記入力手段によって入力された複数の医療情報をそれぞれ異なる場所の端末手段から通信手段を介して送信し、それらの送信された複数の医療情報をデータベース手段に記憶する手段と、を備えた医療情報管理システムにおいて、
前記記憶手段によって記憶された複数の医療情報と特定の医療情報とを比較判定する手段と、
前記比較判定手段によって比較判定された結果に基づき前記特定の医療情報を持つ医療機関が行う手続を代行する手段と、
を備えたことを特徴とする医療情報管理システム。
【請求項４】
前記代行手段は、前記複数の医療機関間の相互の予約又は申込を代行することを特徴とする請求項３に記載の医療情報管理システム。
【発明の詳細な説明】
【技術分野】
【０００１】
本発明は、複数の医療機関で得られた各種の医療情報を管理する医療情報管理方法及び医療情報管理システムに関する。
【背景技術】
【０００２】
従来の医療情報管理方法の一環として、特許文献１に示されるような、利用者および家族、ケアマネージャ、医者、介護サービススタッフ、介護サービス事業者、自治体介護保険担当者をネットワークを介して相互に接続することにより申請代行、認定調査、意見書作成、ケアプラン作成、２４時間なんでも相談、利用者情報変更通知、リスクマネジメントケアマネ、申し送り相談、ケアカンファレンス、サービス空き予定／実績、介護記録作成等のサービスにおいて、それぞれの情報を共有し、種々の介護サービス業務を行う複数事業者間の連携を可能にすることで、コミュニティに１つのサーバがあり、複数事業者間の緊密な連携ができるとともに、利用者・家族が参加することのできる統合型在宅介護サービス支援システム等が提案されている。
【特許文献１】特開２００２―２１５８００号公報
【発明の開示】
【発明が解決しようとする課題】
【０００３】
しかしながら、上記特許文献１では、情報共有の連携に関しては、例えば、転院等により、あるサービス事業者の施設から別のサービス事業者の施設に移った場合に、それまでの履歴情報を引き継ぎのための情報としてそのまま使えるという形でこのシステムを利用するものに過ぎないものであった。
そのため、医療機関同士の転院を例に挙げれば、上記特許文献１がネットワーク化され情報の共有化を図るといっても、人手を介して次の手続をする必要があった。
（１）転院先の病院や施設に収容できる部屋に空きがあるどうかの問い合わせ。
（２）患者の年齢、性別、既往症等の申し送り。
（３）患者が抱えた病気に対する治療、リハビリ等に適した施設があるかどうかの問い合わせ。
（４）転院先への紹介状の発行。
以上は代表的な事項を列挙したものであるが、上記人手を介する手続は、多忙な看護士、医師等の医療従事者が行うので、問い合わせ、申し送り、書類発行などの作業は煩雑であり、これらの作業を代行するサービスが望まれていた。
【０００４】
本発明の目的は、医療従事者の作業性を向上する医療情報管理方法及び医療情報管理システムを提供することにある。
【課題を解決するための手段】
【０００５】
本発明に係る医療情報管理方法の特徴は、それぞれ異なる場所の複数の医療機関内の端末手段にそれらの医療機関内で生成された複数の医療情報を入力するステップと、該入力された複数の医療情報をそれぞれ異なる場所の端末手段から通信手段を介して送信し、それらの送信された複数の医療情報をデータベース手段に記憶するステップと、を含む医療情報管理方法において、該記憶された複数の医療情報と特定の医療情報とを比較判定するステップと、該比較判定された結果に基づき前記特定の医療情報を持つ医療機関が行う手続を代行するステップと、を含むことことにある。
【０００６】
本発明に係る医療情報管理システムの特徴は、それぞれ異なる場所の複数の医療機関内の端末手段にそれらの医療機関内で生成された複数の医療情報を入力する手段と、前記入力手段によって入力された複数の医療情報をそれぞれ異なる場所の端末手段から通信手段を介して送信し、それらの送信された複数の医療情報をデータベース手段に記憶する手段と、を備えた医療情報管理システムにおいて、前記記憶手段によって記憶された複数の医療情報と特定の医療情報とを比較判定する手段と、前記比較判定手段によって比較判定された結果に基づき前記特定の医療情報を持つ医療機関が行う手続を代行する手段と、を備えたことにある。
【０００７】
この発明において、医療機関とは、健診センタ、診療所、急性型病院、療養型病院、介護施設などのように個人に関する医療情報を生成するようなものと、健康保険組合、電話健康相談会社、在宅医療機器会社、出張介護サービス会社などのように個人に関する医療情報を生成しないものを含む広い概念である。この発明では、このような医療機関の一つから依頼を受けて、患者や健康診断受診者の検査データ（画像、生体検査、その他のデータ）、診療所見、クリニカルパス（治療、服薬、リハビリテーション、介護、健康維持、病気予防などに関し、一連の処置を日程計画化したもの）などの医療情報、及びこれらに付随した属性情報などを、電子的にバックアップコピーして保管しておくデータベース手段を、これらの医療機関とは地理的に別の施設、例えばデータセンタ内に設置する。なお、これらの医療機関の一つにこのようなデータベース手段を設けても良い。また、データベース手段は一箇所に限らず、複数箇所に設けても良い。
【０００８】
データセンタでは、これらの医療機関の委託を受けて、そのデータベース手段から患者や健康診断受診者に関する医療情報や属性情報の中から所定の情報を検出し、その検出された所定の情報を委託のあった医療機関、又はその業務上連携する別の医療機関、調剤薬局等の関係者、受診者本人に対して通知、掲示及びアラーム通報などによって参照可能にしたり、検出された所定の情報をそこの端末装置で利用できるように転送したり、所定の医療情報を提供するものである。このときに、検出された所定の情報がその情報の主体である個人の承諾を得ているかどうかを判断し、個人の承諾を得ている場合に限り、医療機関又はその業務上連携する別の医療機関、調剤薬局等の関係者、電話健康双眼事業者、介護サービス提供者等、本人以外に送信される。データセンタは、このように本人以外への情報の提供を受診者本人が確かに依頼していることの確認をするための同定や認証などの処理を行う。本人からの依頼を認証するにあたり、保険会社、健康クラブ等の発行するＩＤカードを使用してもよいし、保険証の提示確認により行うようにしてもよい。
【０００９】
また、データセンタは、個人の依頼により、受診した医療機関とは別の医療機関への紹介状を発行する業務仲介代行サービスを行い、さらに、保険加入者からの依頼により、調剤薬局から個人の医療情報にアクセスし、調剤薬局による個人のための薬間干渉チェックサービス、服薬指導サービスなどを行う。データセンタが行う情報提供とは、保管している情報を参照可能にすること及びその情報を転送することの少なくとも一方のサービスを実行することである。これによって、患者と周辺医療機関との連携が可能となり、患者や個人は、自己の医療情報が安全に保管され、複数の医療機関をまたがって利用されるようになるので、特に手術後の療養、退院後のケアなどの安心感を増大することができ、他の医療機関に紹介状を出してもらいやすくなり、過去に受診して得た健康診断データを他の医療機関で見て貰えるので、セカンド・オピニオンを活用しやすくなるという効果がある。また、受診者本人が健康について、いつでも他の医療機関や医療機関以外の第三者に相談することもできる。これは、特に退職によって健康保険組合を抜けた人や元々健康保険組合に所属しない個人に対して有効である。
【００１０】
なお、データベース手段に記録される診療録のフォーマットや仕様が医療機関などで相互に異なる場合には、データセンタは、画像データ、診療録、クリニカルパス等を標準化するフォーマット変換等の情報処理を行った上で、データの保管を行い、データを一元的に取り扱えるようにする。提供する情報の中には、空床やモダリティ予約状況等の医療機関のサービスに関する情報も含む。データセンタのデータベース手段に保管されるデータは、常に最新のものとなるように、複数の関係者によって頻繁に書き換えられる。また、医療機関間でやり取りされる時は、送り手と受取り手との間の確認が必要であり、データセンタは、その確認を仲介する役割を行う。データセンタが保管する情報には本人の姓名情報を付さずに、１１桁以上のＩＤ番号を付して個人を特定するようにすることが好ましい。これは、個人医療情報を他に出すときに、本人の姓名情報を付さないで利用することができるからである。
【発明の効果】
【００１１】
本発明によれば、医療従事者の作業性を向上するという効果がある。
【発明を実施するための最良の形態】
【００１２】
以下、添付図面を用いて、本発明に係る医療情報管理方法及び医療情報管理システムの一実施の形態について詳細に説明する。図１は、本発明に係る医療情報管理システムの全体構成を示す図である。この医療情報管理システムは、インターネット１を介して種々の医療機関や各種組織・団体や個人などが接続されて構成されている。医療機関としては、健康保険組合２１〜２ｎ、健診センタ３１〜３ｎ、薬局４１〜４ｎ、その他医療機関５１〜５ｎ（例えば、診療所、急性型病院、療養型病院、介護施設、電話健康相談会社、在宅医療機器会社、出張介護サービス会社など）、読影医ネットワーク６などが該当し、各種組織・団体としては、企業・組織１１〜１ｎや自治体７１〜７ｎなどが該当し、個人としては、個人の有するパソコン８１〜８ｎや個人の有する携帯電話などのモバイル端末９１〜９ｎなどが該当し、それぞれがインターネット１を介して接続されている。なお、医療機関の中には、健診センタ、診療所、急性型病院、療養型病院、介護施設などのように個人に関する医療情報を生成するようなものと、電話健康相談会社、在宅医療機器会社、出張介護サービス会社などのように個人に関する医療情報を生成しないものを含む。
【００１３】
健康保険組合２１〜２ｎは、健康保険組合の構成員である企業・組織１１〜１ｎや自治体７１〜７ｎに属する社員や職員などに対して保険給付事業（被保険者や扶養家族である被扶養者の病気、けが、出産、死亡などのとき、医療費を負担したり、いろいろな給付金を支給する）や保健事業（被保険者とその被扶養者のみなさんの健康の保持・増進をはかる）を行なうものであり、企業に属していたり、企業同士の共同体に属していたり、各自治体に属したりしており、それぞれ個々の活動を行なっている。健康保険組合２１〜２ｎには、社員や職員それぞれのレセプト情報を記憶するレセプトデータベース２１１、健診結果を記憶する健診データベース２１２、これらのデータベースを管理制御するコントロールサーバ２１３、外部からこれらのデータベースにアクセスがあった場合の制御を行なうウェブサーバ２１４を備える。
【００１４】
健診センタ３１〜３ｎは、健診所見などの健診データや各種検査データを記憶した健診データベース３１１からなる健診情報システムを備える。この健診情報システムはコントロールサーバ３１２を介してインターネット１に接続されている。
【００１５】
薬局４１〜４ｎは、患者の薬歴ファイルや薬剤情報など記憶した薬歴・薬剤データベース４１１からなる薬歴管理システムを備える。この薬歴管理システムはコントロールサーバ４１２を介してインターネット１に接続されている。
【００１６】
その他医療機関５１〜５ｎは、健診センタ３１〜３ｎ以外の医療機関であり、診療所、急性期型病院、療養型病院、介護施設などが該当し、診療録や介護録、各種検査データ、クリニカルマップ、ケアマップなどを記憶した電子カルテシステムがコントロールサーバを介してインターネット１に接続される。その他の医療機関５１〜５ｎには、これら以外にも各種の医療に関係した電話健康相談会社、在宅医療機器会社、出張介護サービス会社などが該当し、独自の医療に関する電子データ（医療情報）を記憶したデータベースを備えており、それがコントロールサーバを介してインターネット１に接続されている。
【００１７】
読影医ネットワーク６は、医用画像を読影診断することのできる専門の読影医師によって構成される読影サイトの複数がネットワークを介して接続されたものである。この読影医ネットワーク６には、図示していない読影医センタが存在し、読影可能な読影サイトに関するスケジューリングを行ったり、どの読影サイトに医用画像データを送信するか、また読影サイトから送信されて来た読影レポートを医療機関に送信したり、読影レポートと共にキー画像を保管したりなどの振り分け処理を行っている。
【００１８】
データセンタ２は、医療機関の依頼を受け、個人の医療情報をバックアップ保管、分析、掲出、転送等する取扱業務を代行し、医療機関の業務、機関間連携を支援する医療情報アーカイブセンタ（ＣＭＡ）の機能と、医療相談、紹介状発行依頼など医療および関連サービスの提供者との折衝を代行する個人向け健康・医療サービスを支援するヘルスコンシエルジエセンタ（ＨＣＣ）の機能を備えるものである。
【００１９】
データセンタ２内のＣＭＡは、オープンカルテを基本とし、医療機関の依頼を受け個人の医療情報のバックアップコピーなどの情報を保管する。データセンタ２に保管される医療情報には、検査データ（健康診断データを含む）、診療録、介護録、クリニカルパス（ケアマップを含む）とその拡張概念となる療養マップ、再診計画、２次予防・在宅療養管理計画、個人特性（アレルギー・免疫・遺伝情報）、医療機関で作成された電子カルテ、薬歴ファイル、医薬品ファイルなどがある。データセンタ２では、これらの各種医療情報が医療データベース２０１内に保管されている。そして、データセンタ２内のコントロールサーバ２０２及びウェブサーバ２０３によって医療データベース２０１内の医療情報の分析、提示、転送、通知、警告発生、機関間移転等の処理が実行され、医療機関の業務や医療機関連携が支援されるようになっている。
【００２０】
データセンタ２内のＨＣＣは、医療および医療関連サービスの提供者とそれを受ける者との折衝を、受ける者の依頼、与信を受けて代行するものである。ＨＣＣは、医療データベース２０１に加えて診療に関するデータ解析を行なうマイニングエンジン用データベース２０４を備え、これらのデータベース２０１，２０４をコントロールサーバ２０２及びウェブサーバ２０３によって制御することによって実現される。ＨＣＣのサービス内容は医療相談、服薬助言、紹介状発行依頼、疾病リスク分析などであり、総合的に個人の健康寿命延伸、生活習慣病克服を支援するものである。
【００２１】
個人の健康を守る医療、介護、保険等の諸サービスは従来「提供者中心」であったのに対し、本発明に係る医療情報管理システムの構成要素となるＣＭＡ及びＨＣＣは、インターネットを利用したＩＴインフラストラクチャーによりの諸サービスを提供し、「顧客中心」に変換する新しいサービス事業であり、個人の健康を守る医療、介護、保険、在宅医療機器提供等の諸サービスのネットワーク連携であり、そこに必要不可欠なＩＴインフラストラクチャーである。
【００２２】
本発明に係る医療情報管理方法及び医療情報管理システムは、個人の健康維持、病気予防、病気からの回復療養のために、個人の医療情報を必要なときに、必要な関係者（医療提供者、介護提供者、本人）に提供できるよう安全に保管、適切に処理する。そして、すべての業務を厳密な情報セキュリティ、プライバシー保護のもとに行う。データセンタ２に保管される個人医療情報にアクセスしうるのは、関係医療機関のみとし、例えば、行政法人、医療機関、健康相談会社、調剤薬局に限ることとする。
【００２３】
図２は、図１の医療情報管理方法及び医療情報管理システムの機能ブロック図である。
健康センタ３１は、健診情報システムを有しており、その中には身長、体重、血圧、胸部Ｘ線画像、など検査データ、問診や画像診断などの健診所見、その施設の予約状況が記憶されている。その他医療機関５１〜５ｎは、専門病院５１、急性期型病院５２、療養型病院５３、介護施設５４、などがある。専門病院５１、急性期型病院５２、療養型病院５３、は電子カルテシステムを有しており、その中には血圧、Ｘ線ＣＴ画像などの検査データ、電子カルテ（診療録）、患者の治療計画であるクリニカルマップ、その施設の予約状況が記憶されている。介護施設５４は電子介護録システムを有しており、その中にはリハビリテーションの進行度などの検査データ、その検査データの経過等を記録する介護録、患者の介護計画であるケアマップ、その施設の予約状況を記憶されている。データセンタ２は、健診センタ３１、専門病院５１、急性期型病院５２、療養型病院５３、介護施設５４、などの各種検査データ、診療・介護録、クリニカル・ケアマップ及び病床、装置予約状況、診療予約状況をデータベース化している。データセンタ２は、ＣＭＡとＨＣＣの機能を有している。ＣＭＡは医療機関同士の紹介、申込を代行するサービスセンタであり、ＨＣＣは、健康診断の受診者や患者の個人８１（健康保険組合２１に属する会社に勤務する個人も含む）に対する医療機関の紹介、申込を代行するサービスセンタである。ＣＭＡには、市町村、保健所、医師会のネットワークを介し、地域医療での情報の共有も可能である。本実施形態では、ＣＭＡのサービスを説明するので、ＨＣＣのサービスに必要な構成は省略することができる。
【００２４】
図３はＣＭＡのサービスの予約、申込、申込結果表示の各処理手順を説明するフローチャート、図４は図３のデータセンタが受け持つ処理を示すフローチャート、図５は図３の医療機関が受け持つ処理を示すフローチャート、図６は図３のデータセンタでの病院適合比較の態様を説明する図、図７は予約・申込の完了を示す表示例の図である。
この例は、急性期病院に脳梗塞で入院した「日立太郎」が、急性期から回復し、社会復帰を目指してリハビリテーションを受けるための療養型病院への転院の予約、申込の代行サービスを説明するものである、
【００２５】
（ステップＳ３１）
ステップＳ３１は施設の予約処理である。まず、急性期型病院（Ａ病院）５２の端末により、図６のＡ病院の欄にあるような「日立太郎」の条件をデータセンタ２に送信する。「日立太郎」は脳梗塞を患い、血流促進剤の投与と歩行のリハビリテーションを要するので、空き病棟と投薬、施設の条件が揃った療養型病院を捜す。この例では、データセンタ２には療養型病院がＢ１〜Ｂｎのように複数の病院がネットワーク接続されているとする。
【００２６】
まず、図４のデータセンタの処理が実行される。
図４のステップＳ４１は、データセンタ２の端末が「日立太郎」の条件の条件を受信する。ステップＳ４２は、「日立太郎」の条件を受信したので、予約と判定し、ステップＳ４３に進む。ステップ４３は、データセンタ２にネットワーク接続されたＢ１病院に「日立太郎」の条件を送信する。
【００２７】
引き続き、図５のＢ１病院の処理に移行する。
図５のステップＳ５１は、Ｂ１病院の端末がデータセンタ２に送信された「日立太郎」の条件を受信する。ステップ５２は、Ｂ１病院が「日立太郎」の条件を受信したので、予約と判定し、ステップＳ５３に進む。ステップＳ５３は、「日立太郎」の条件の項目のデータを抽出する。この抽出は、病院の所在地、病室の空き情報、投薬を要する薬剤の在庫情報、施設情報の順に優先順位をつけて行われる。つまり、この抽出は優先順位に従って「日立太郎」の条件で一致しなくなる項目で抽出が停止するようになっている。例えば、Ｂ１病院では図６のように、所在地（条件一致）、病棟（条件不一致）となっているので、この２つの条件がＢ１病院の検索結果となる。このように、条件不一致で検索処理を終わるようにしておけば、医療機関の端末（パソコン）の実行時間を必要最小限とすることができ、Ｂ１病院の業務に支障なく検索できる。この例では、Ｂ１病院の次のＢ２病院が「日立太郎」にとって最適な病院となるようになっている。このように最適な病院を見つけた場合には、申込が想定されるので、オーダ番号とその「日立太郎」の条件をＢ２病院の端末に記憶しておく。ステップＳ５４は、このＢ１病院の検索結果やオーダ番号をデータセンタ２に送信する。同様に、ステップＳ５１からＳ５４をＢ２病院、…Ｂｎ病院まで繰り返す。
【００２８】
再び、図４のデータセンタの処理に戻る。
図４のステップＳ４４は、ステップＳ５４で送信されたＢ１〜Ｂｎ病院の条件をデータセンタ２で順次受信する。
データセンタ２は、図６に示すように、Ａ病院からの患者データを記憶するメモリ６００と、Ｂ１病院からの病院データを記憶するメモリ６１１、Ｂ２病院からの病院データを記憶するメモリ６１２、…、Ｂｎ病院からの病院データを記憶するメモリ６１ｎと、メモリ６１１〜６１ｎと接続される切替器６２０と、
切替器６２０、メモリ６００と接続される比較器６３０と、比較器６３０と接続されるデータ生成部６４０と、データ生成部６４０と接続される送信部６５０とを有している。切替器６２０は、メモリ６１１〜６１ｎからの出力を切り替えるものである。比較器６３０は、切替器６２０の出力とメモリ６００の出力を比較するものである。データ生成部６３０は、比較器６３０の出力から「日立太郎」に最適の転院先、ここでは、Ｂ２病院のデータを生成するものである。送信部６５０は、データ生成部６３０に生成されたＢ２病院のオーダ番号をネットワークに出力して、例えば、Ａ病院の端末に送ってＡ病院の医療事務担当者が閲覧できるようになっている。
ステップＳ４５は、データセンタ２が有するメモリ６１１〜６１ｎに順次得たＢ１〜Ｂｎ病院の条件を記憶し、それぞれ記憶されたＢ１〜Ｂｎ病院の条件とメモリ６００に記憶される「日立太郎」の患者データとを比較する。ステップＳ４６は、例えば、ステップＳ４５の比較結果をＡ病院の端末で出力できるように、ネットワークに送信する。
【００２９】
（ステップＳ３２）
ステップＳ３２は施設の申込処理である。この例では、データセンタ２には療養型病院のうちのＢ２病院が選択されたものとする。
【００３０】
まず、図４のデータセンタの処理が実行される。
図４のステップＳ４１は、データセンタ２の端末が病院名Ｂ２とオーダ番号を受信する。ステップＳ４２は、病院名Ｂ２を受信したので、申込と判定し、ステップＳ４７に進む。次に、ステップＳ４７は、申込医療機関（この場合Ｂ２病院）に申込情報を送信する。
【００３１】
引き続き、図５の申込医療機関（Ｂ２病院）の処理に移行する。
図５のステップＳ５１は、Ｂ１病院の端末がデータセンタ２に送信された病院名Ｂ２とオーダ番号を受信する。ステップ５２は、Ｂ２病院が病院名Ｂ２を受信したので、申込と判定し、ステップＳ５５に進む。ステップＳ５５は、オーダ番号に基づき予約のステップで記憶された「日立太郎」の条件を読み出し、Ｂ２病院の転院手続の処理を行う。ステップＳ５６は、Ｂ２病院の転院手続が完了したことを出力・送信する。
【００３２】
再び、図４のデータセンタの処理に戻る。
ステップＳ４８は、ステップＳ５６によって送信されたＢ２病院の転院手続完了をデータセンタ２で受信する。ステップＳ４９は、データセンタ２がＢ２病院の転院手続完了を、Ａ病院の端末の表示画面で閲覧できるように、出力・送信する。
また、転院先のＢ２病院宛の紹介状も、Ａ病院からＢ２病院へ電子的に伝達可能である。また紙での紹介状が必要であれば、Ａ病院の端末に接続されたプリンタで出力し、医師の署名や捺印により、発行可能である。
【００３３】
（ステップＳ３３）
ステップＳ３３は申込結果表示処理である。
Ａ病院の端末は、ステップ４６によって、出力・送信されたその表示例は、図７に示される。例えば、表示画面７００には、「日立太郎さんの転院先はＢ２病院を申込ました。」と表示される。
【００３４】
本実施形態に係る医療情報管理方法及び医療情報管理システムによれば、患者の転院の際に患者の各種問い合わせ事項や申し送り事項を判定して最適な転院先を探すと共に、その転院の際の紹介状など発行が必要な書面を電子的に作成・提供するなど各種医療情報サービスを支援できる、
【００３５】
また、本実施形態では、急性期型病院から療養型病院への転院を例に挙げた。本発明では、健康診断を行う健診センタ、健康診断の結果精密検査を行う専門病院、療養型病院や介護施設は、相互に予約、申込を行うことができる。
また、ＣＭＡのサービスは、予約、申込に限ることなく、医療データベース内の医療情報の分析、提示、転送、通知、警告発生、処理が実行され、医療機関の業務や医療機関連携が支援されるものであってもよい。
また、ＨＣＣと組み合わせれば、医療相談、服薬助言、紹介状発行依頼、疾病リスク分析などであり、総合的に個人の健康寿命延伸、生活習慣病克服を支援するものであってもよい。
【図面の簡単な説明】
【００３６】
【図１】本発明に係る医療情報管理システムの全体構成を示す図である。
【図２】図１の医療情報管理方法及び医療情報管理システムの機能ブロック図である。
【図３】ＣＭＡのサービスの予約、申込、申込結果報告の各処理手順を説明するフローチャート図である。
【図４】図３のデータセンタが受け持つ処理を示すフローチャート図である。
【図５】図３の医療機関が受け持つ処理を示すフローチャート図である。
【図６】図３のデータセンタでの病院適合比較の態様を説明する図である。
【図７】予約・申込の完了を示す表示例の図である。
【符号の説明】
【００３７】
１１〜１ｎ…企業・組織
２１〜２ｎ…健康保険組合
３１〜３ｎ…健診センタ
４１〜４ｎ…薬局
５１〜５ｎ…その他医療機関
６…読影医ネットワーク
７１〜７ｎ…自治体
８１〜８ｎ…個人
９１〜９ｎ…モバイル端末
【図１】
2005258854.tif 000003
【図２】
2005258854.tif 000004
【図３】
2005258854.tif 000005
【図４】
2005258854.tif 000006
【図５】
2005258854.tif 000007
【図６】
2005258854.tif 000008
【図７】
2005258854.tif 000009